(57)【要約】【課題】ネジ式取付構造とカップ打込器に対するカップの相対回転の防止とを両立することができるカップ打込器を提供する。【解決手段】人工股関節の半球状のカップ７を臼蓋に打ち込む際に使用されるカップ打込器１は、棒状の打込器本体２と、カップ７が取り付けられる、打込器本体２の先端に着脱可能な先端アタッチメント３を含む。カップ７の中心にはネジ穴が設けられており、カップ７の内側面には、前記ネジ穴を中心とする多角形状の窪みが形成されている。先端アタッチメント３は、カップ７のネジ穴に螺合するネジ軸を有するロッド４と、ロッド４に挿通された筒状のハウジング５であって、カップ７の窪みに嵌合するハウジング５を含む。ハウジング５は、打込器本体２の先端に設けられた挿入穴２３に回転不能に挿入される。【選択図】図１
2020156977.tif 000002
【特許請求の範囲】
【請求項１】
人工股関節の半球状のカップを臼蓋に打ち込む際に使用されるカップ打込器であって、
棒状の打込器本体と、
前記カップが取り付けられる、前記打込器本体の先端に着脱可能な先端アタッチメントと、を備え、
前記カップの中心にはネジ穴が設けられており、前記カップの内側面には、前記ネジ穴を中心とする多角形状の窪みが形成されており、
前記先端アタッチメントは、前記ネジ穴に螺合するネジ軸を有するロッドと、前記ロッドに挿通された筒状のハウジングであって、前記カップの窪みに嵌合するハウジングを含み、
前記ハウジングが前記打込器本体の先端に設けられた挿入穴に回転不能に挿入される、カップ打込器。
【請求項２】
前記ロッドは、前記ハウジングの端面に当接する頭部と、前記頭部と前記ネジ軸との間に介在する、前記ネジ軸よりも小径の中間軸を有し、
前記ハウジングの内周面には、前記ネジ軸と螺合可能なネジ部であって、前記中間軸の周囲に位置するネジ部が設けられている、請求項１に記載のカップ打込器。
【請求項３】
前記挿入穴の内周面には、係合リングを保持する保持溝が形成されており、
前記ハウジングの外周面には、前記係合リングが嵌まり込む係合溝が形成されている、請求項１または２に記載のカップ打込器。
【請求項４】
前記ハウジングの外周面には、少なくとも１つの突起が形成されており、
前記挿入穴の内周面には、前記突起が嵌まり込む回転規制溝が形成されている、請求項１〜３の何れか一項に記載のカップ打込器。
【発明の詳細な説明】
【技術分野】
【０００１】
本発明は、人工股関節の半球状のカップを臼蓋に打ち込む際に使用されるカップ打込器に関する。
【背景技術】
【０００２】
人工股関節では、患者の臼蓋（大腿骨の骨頭が嵌まり込む骨盤の窪み、寛骨臼ともいう）よりも少し大きめのサイズの半球状のカップが選択され、そのカップが臼蓋に圧入される。この圧入を行うために、カップ打込器が使用される（例えば、特許文献１参照）。
【０００３】
カップ打込器は棒状の器具であり、カップ打込器の先端にカップが取り付けられる。カップ打込器はカップが臼蓋に圧入可能な位置に到達するように操作され、その状態でカップ打込器の基端がハンマーなどで叩かれることにより、カップが臼蓋に打ち込まれて臼蓋に圧入される。
【先行技術文献】
【特許文献】
【０００４】
【特許文献１】特開２０１８−３３７９３号公報
【発明の概要】
【発明が解決しようとする課題】
【０００５】
一般的に、カップには臼蓋に固定するためのネジ用の貫通穴が設けられているため、臼蓋に対するカップの相対回転位置を調整したいという要望がある。このような観点から、カップの内側面には、その中心に正方形状の窪みが形成され、この窪みを利用してカップがカップ打込器の先端に回転不能に取り付けられることもある。
【０００６】
ところで、カップをカップ打込器へ取り付けるための構造としては、カップの中心に設けられたネジ穴にカップ打込器の先端に設けられたネジ軸を螺合させる構造もある。このようなネジ式取付構造のカップ打込器に対しては、上述したカップ打込器に対するカップの相対回転を防止する構成の採用は困難である。
【０００７】
そこで、本発明は、ネジ式取付構造とカップ打込器に対するカップの相対回転の防止とを両立することができるカップ打込器を提供することを目的とする。
【課題を解決するための手段】
【０００８】
前記課題を解決するために、本発明のカップ打込器は、人工股関節の半球状のカップを臼蓋に打ち込む際に使用されるカップ打込器であって、棒状の打込器本体と、前記カップが取り付けられる、前記打込器本体の先端に着脱可能な先端アタッチメントと、を備え、前記カップの中心にはネジ穴が設けられており、前記カップの内側面には、前記ネジ穴を中心とする多角形状の窪みが形成されており、前記先端アタッチメントは、前記ネジ穴に螺合するネジ軸を有するロッドと、前記ロッドに挿通された筒状のハウジングであって、前記カップの窪みに嵌合するハウジングを含み、前記ハウジングが前記打込器本体の先端に設けられた挿入穴に回転不能に挿入される、ことを特徴とする。
【０００９】
上記の構成によれば、先端アタッチメントのハウジングはロッドに挿通されているので、ハウジングをカップの多角形状の窪みに嵌め込んだ状態でロッドを回転させることができる。これにより、ロッドのネジ軸をカップのネジ穴に螺合してカップを先端アタッチメントに取り付けることができる。先端アタッチメントは、打込器本体に対して着脱可能であるので、先端アタッチメントを打込器本体から取り外した状態でカップを先端アタッチメントに取り付ければ、その取付作業を簡単に行うことができる。さらに、先端アタッチメントのハウジングは、打込器本体の挿入穴に回転不能に挿入されるので、先端アタッチメントを打込器本体の先端に装着すれば、カップ打込器の操作によって臼蓋に対するカップの相対回転位置を調整することができる。
【００１０】
前記ロッドは、前記ハウジングの端面に当接する頭部と、前記頭部と前記ネジ軸との間に介在する、前記ネジ軸よりも小径の中間軸を有し、前記ハウジングの内周面には、前記ネジ軸と螺合可能なネジ部であって、前記中間軸の周囲に位置するネジ部が設けられていてもよい。この構成によれば、ハウジングのネジ部がロッドの抜け止めとして機能するため、簡単な構造でハウジングにロッドを保持させることができる。
【００１１】
前記挿入穴の内周面には、係合リングを保持する保持溝が形成されており、前記ハウジングの外周面には、前記係合リングが嵌まり込む係合溝が形成されていてもよい。この構成によれば、先端アタッチメントを打込器本体の挿入穴へ挿入するだけで、先端アタッチメントを打込器本体へ装着することができる。
【００１２】
例えば、前記ハウジングの外周面には、少なくとも１つの突起が形成されており、前記挿入穴の内周面には、前記突起が嵌まり込む回転規制溝が形成されていてもよい。
【発明の効果】
【００１３】
本発明によれば、ネジ式取付構造とカップ打込器に対するカップの相対回転の防止とを両立することができる。
【図面の簡単な説明】
【００１４】
【図１】本発明の一実施形態に係るカップ打込器の側面図である。
【図２】図１に示すカップ打込器の先端部の断面図である。
【図３】打込器本体の先端の一部を断面で示した斜視図である。
【図４】（ａ）は先端アタッチメントを前方から見た斜視図、（ｂ）は先端アタッチメントを後方から見た斜視図である。
【図５】カップを内側から見た斜視図である。
【発明を実施するための形態】
【００１５】
図１に、本発明の一実施形態に係るカップ打込器１を示す。カップ打込器１は、人工股関節の半球状のカップ７を臼蓋（図示せず）に打ち込む際に使用される。
【００１６】
具体的に、カップ打込器１は、棒状の打込器本体２と、打込器本体２の先端に着脱可能な先端アタッチメント３を含む。先端アタッチメント３には、カップ７が取り付けられる。
【００１７】
打込器本体２は、医師などにより把持されるグリップ部２２と、グリップ部２２から延びるポール部２１を含む。ポール部２１の先端は、患者の体内に挿入される。本実施形態では、ポール部２１が、患者の体内の筋組織との干渉を回避し易いように弓なりに湾曲している。ただし、ポール部２１は、直線状であってもよい。
【００１８】
ポール部２１の先端は打込器本体２の先端でもあり、グリップ部２２のポール部２１と反対側の端はハンマーなどで叩かれる打込器本体２の基端である。
【００１９】
ポール部２１の先端は、グリップ部２２の中心線の延長線上に位置している。ポール部２１の先端には、図２および図３に示すように、先端アタッチメント３が挿入される挿入穴２３が設けられている。挿入穴２３は、グリップ部２２の中心線の延長線を中心とする穴であり、グリップ部２２の中心線の延長線に沿ってポール部２１の先端を貫通している。
【００２０】
以下では、説明の便宜上、グリップ部２２の中心線の延長線に沿う方向を前後方向（ポール部２１側を前方、グリップ部２２側を後方）ということもある。
【００２１】
先端アタッチメント３は、図２に示すように、ロッド４と、このロッド４に挿通された筒状のハウジング５を含む。ハウジング５は、ポール部２１の先端面に当接するフランジ部５２と、フランジ部５２から前方に突出する嵌合部５１と、フランジ部５２から後方に突出する管状部５３を有する。
【００２２】
図５に示すように、カップ７には、中心にネジ穴７１が設けられているとともに、その周りに複数の貫通穴７３が設けられている。貫通穴７３は、カップ７を臼蓋に固定するためのネジ用の穴である。また、カップ７の内周面には、ネジ穴７１を中心とする多角形状の窪み７２が形成されている。
【００２３】
本実施形態では、窪み７２の形状が四角形（図例では正方形）である。ただし、窪み７２の形状は、六角形などの他の多角形であってもよい。
【００２４】
上述したハウジング５の嵌合部５１は、カップ７の窪み７２に嵌合する部分であり、図２ならびに図４（ａ）および（ｂ）に示すように、窪み７２の輪郭よりも僅かに小さな輪郭を有する。
【００２５】
ハウジング５の管状部５３は、挿入穴２３に挿入される部分である。挿入穴２３の内周面には、ポール部２１の先端面から少し奥まった位置に、図３に示すように周方向に連続する保持溝２７が形成されている。この保持溝２７には、図２に示すように係合リング６が保持されている。
【００２６】
一方、管状部５３の外周面には、図４（ａ）および（ｂ）に示すように周方向に連続する係合溝５５が形成されている。管状部５３が挿入穴２３に挿入されたときには、保持溝２７に保持された係合リング６が係合溝５５に嵌まり込む。すなわち、先端アタッチメント３を打込器本体２の挿入穴２３へ挿入するだけで、先端アタッチメント３を打込器本体２へ装着することができる。一方、先端アタッチメント３を打込器本体２から取り外す際には、先端アタッチメント３を挿入穴２３から引き抜くだけでよい。
【００２７】
さらに、管状部５３の外周面には、少なくとも１つの突起５４が形成されている。本実施形態では、２つの突起５４が１８０度間隔で設けられており、各突起５４が管状部５３の軸方向に延びている。
【００２８】
一方、挿入穴２３の内周面には、２つの回転規制溝２６が形成されている。各回転規制溝２６は、管状部５３の軸方向に延びており、ポール部２１の先端面に開口している。管状部５３が挿入穴２３に挿入されたときには、突起５４が対応する回転規制溝２６に嵌まり込む。これにより、打込器本体２に対するハウジング５の相対回転が防止される。すなわち、ハウジング５は、挿入穴２３に回転不能に挿入される。
【００２９】
先端アタッチメント３のロッド４は、カップ７のネジ穴７１と螺合するネジ軸４３と、ハウジング５の後端面に当接する頭部４１と、頭部４１とネジ軸４３の間に介在する中間軸４２を有する。中間軸４２とネジ軸４３の合計長さは、ハウジング５の長さよりも長い。このため、ネジ軸４３の先端は、ハウジング５の前端面よりも前方に位置している。そして、カップ７のネジ穴７１へのネジ軸４３の螺合によって、カップ７がハウジング５の前端面に押し付けられる。
【００３０】
中間軸４２は、ネジ軸４３よりも小径である。ハウジング５の内周面の前方部分は平滑な円筒面であるが、内周面の後方部分にはネジ部５６が設けられている。すなわち、ネジ部５６は、中間軸４２の周囲に位置する。
【００３１】
ネジ部５６は、ロッド４のネジ軸４３と螺合可能である。換言すれば、ネジ部５６の呼び径とネジ軸４３の呼び径は同じである。このため、ロッド４をハウジング５に挿通する際には、ネジ軸４３をネジ部５６に螺合させながらロッド４を一方向に回転させれば、ネジ軸４３がネジ部５６を通過する。この構成であれば、ネジ部５６がロッド４の抜け止めとして機能するため、簡単な構造でハウジング５にロッド４を保持させることができる。また、先端アタッチメント３を洗浄する際には、ネジ軸４３をネジ部５６に螺合させながらロッド４を逆方向に回転させれば、ロッド４をハウジング５から引き抜くことができる。
【００３２】
頭部４１には、工具係合用の六角穴４４が設けられている。図１に示すように、ポール部２１は弓なりに湾曲することにより前側傾斜部と後側傾斜部との間にオフセット部を有しており、このオフセット部に工具挿通用の貫通穴２５が設けられている。また、前側傾斜部にも、六角穴４４と貫通穴２５を結ぶ線上に切欠き２４が形成されている。
【００３３】
以上説明したように、本実施形態のカップ打込器１では、先端アタッチメント３のハウジング５がロッド４に挿通されているので、ハウジング５をカップ７の窪み７２に嵌め込んだ状態でロッド４を回転させることができる。これにより、ロッド４のネジ軸４３をカップ７のネジ穴７１に螺合してカップ７を先端アタッチメント３に取り付けることができる。
【００３４】
また、先端アタッチメント３は、打込器本体２に対して着脱可能であるので、先端アタッチメント３を打込器本体２から取り外した状態でカップ７を先端アタッチメント３に取り付ければ、その取付作業を簡単に行うことができる。さらに、先端アタッチメント３のハウジング５は、打込器本体２の挿入穴２３に回転不能に挿入されるので、先端アタッチメント３を打込器本体２の先端に装着すれば、カップ打込器１の操作によって臼蓋に対するカップ７の相対回転位置を調整することができる。
【００３５】
（変形例）
本発明は上述した実施形態に限定されるものではなく、本発明の要旨を逸脱しない範囲で種々の変形が可能である。
【００３６】
例えば、前記実施形態では、回転規制溝２６への突起５４の嵌まり込みによりハウジング５が挿入穴２３に回転不能に挿入されているが、挿入穴２３の前方部分およびハウジング５の管状部５３が多角形状になっていることによってハウジング５が挿入穴２３に回転不能に挿入されてもよい。
【符号の説明】
【００３７】
１    カップ打込器
２    打込器本体
２３  挿入穴
２６  回転規制溝
２７  保持溝
３    先端アタッチメント
４    ロッド
４１  頭部
４２  中間軸
４３  ネジ軸
５    ハウジング
５４  突起
５５  係合溝
５６  ネジ部
６    係合リング
７    カップ
７１  ネジ穴
７２  窪み
【図１】
2020156977.tif 000003
【図２】
2020156977.tif 000004
【図３】
2020156977.tif 000005
【図４】
2020156977.tif 000006
【図５】
2020156977.tif 000007